(57)【要約】【課題】トリガー式噴霧機構におけるトリガー部のガタ付き防止とロック動作の円滑化を図る。【解決手段】エアゾール容器又はポンプ式噴霧容器の上端部から上方に延長するバルブステム30に接続するトリガー式噴霧機構10である。本体部11と、押下ボタン部15と、本体部11の後方で回動自在に設けられたトリガー部13とから成る。押下ボタン部15は、その内部に容器内の内容液を排出するための通路16を有し、この通路の始端部が前記バルブステム30と接続して上方方向に延長し、その後略水平方向に折曲して、当該通路の先端の出口部が噴口17を形成する。トリガー部13のレバー14を手前側に引き寄せることにより押下ボタン部15が下方に押下されて容器の内容液が噴霧される。トリガー部13の上面内壁部には、下方に延長する合成樹脂製の板バネからなる樹脂バネ18が設けられ、この樹脂バネ18の先端部は前記押下ボタン部15の上面部に当接してトリガー部13を常に上方向に付勢している。【選択図】図１
2015112522.tif 000002
【特許請求の範囲】
【請求項１】
エアゾール容器又はポンプ式噴霧容器の上端部から上方に延長するバルブステムに接続するトリガー式噴霧機構において、
当該噴射機構は、本体部と、前記バルブステムに接続する押下ボタン部と、本体部の後方の回動部で回動自在に取り付けられたトリガー部とからなり、
前記押下ボタン部は、その内部に容器内の内容液を排出するための通路が設けられ、当該通路の基端部が前記バルブステムと接続して上方方向に延長し、その後略水平方向に折曲して、当該通路の先端の出口部が噴口を形成し、
前記トリガー部のレバーを手前側に引き寄せることにより、前記押下ボタン部が下方に押し下げられて容器の内容液が噴霧され、
トリガー部の上面内壁部には、下方に延長する合成樹脂製の板バネからなる樹脂バネが設けられ、この樹脂バネの先端部は前記押下ボタン部の上面部に当接してトリガー部を常に上方向に付勢していることを特徴とするトリガー式噴霧機構。
【請求項２】
上記トリガー部の回動に際し、当該トリガー部の上面内壁部から下方に延長する一対の押下部材を設け、これらの押下部材が押下ボタン部の両側部に設けられた突起部と当接することにより、トリガー部のレバーを引き寄せた際に、トリガー部が押下ボタン部を押し下げることができることを特徴とする請求項１に記載のトリガー式噴霧機構。
【請求項３】
トリガー部の後方の回動部の上方に略水平方向に往復動するロック部材を設け、このロック部材を前方に押し込むことによりトリガー部の回動が阻止され、逆にこのロック部材を後方に引き寄せることによりトリガー部の回動が可能となることを特徴とする請求項１又は２に記載のトリガー式噴霧機構。
【請求項４】
前記ロック部材の適宜位置には、突起部を設け、この突起部がトリガー部の壁面と当接することにより当該ロック部材がトリガー部から後方に抜け落ちないことを特徴とする請求項３に記載のトリガー式噴霧機構。
【請求項５】
前記本体部の基端部で容器のバルブステムと接続する部分において、前記バルブステムを挿通できる貫通孔を囲繞するように筒状壁部を設け、この筒状壁部の内壁面が前記押下ボタン部の基端部の上下動をガイドできることを特徴とする請求項１乃至４の何れか１項に記載のトリガー式噴霧機構。
【発明の詳細な説明】
【技術分野】
【０００１】
本発明は、エアゾール容器やポンプ式噴霧容器の上端部に配設されたバルブステムに接続されるロック手段付きのトリガー形式の噴霧機構に関するものである。
【背景技術】
【０００２】
この種の従来品としては、下記特許文献に記載のものを挙げることができる。
下記特許文献１に記載のトリガー式液体噴出ポンプにおいては、分別廃棄に適したものであって、コンパクトで簡素な構成のものを提供することを課題とする。
その構成としては、トリガーの上部の後面と向かい合う係止面を、射出筒の下面側に設け、このトリガーの上部後面と係止面との間に非金属製の弾性圧搾部を介在させ、この弾性圧搾部がトリガーの引寄せにより圧搾され、その弾性圧搾部の復元によりトリガーが原位置に復帰するように構成したものである。
【０００３】
下記特許文献２に記載のトリガーディスペンサにおいては、コンパクト化を図ると同時に、ポンプ室の寸法変更などの自由度が大きく、しかも分別廃棄の必要のない合成樹脂製ばねを用いて必要な付勢力を得ることができ、回転スライドバルブのコンパクト化などによっても切り替えの操作性に支障をきたすことがないトリガーディスペンサを提供することを課題とする。
その構成は、トリガーレバーの揺動操作でポンプ室内のピストンを上下に摺動させ一定量ずつ内容液を吐出させるトリガーディスペンサで、トリガーレバーおよびピストンを戻す付勢力を、ポンプ室外の本体部とトリガーレバーの背面に係止する合成樹脂製板ばねで付与する構造とする。
これにより、コンパクト化を可能とすると同時に、ポンプ室の寸法変更などの自由度を大きくし、分別廃棄の必要をなくすと同時に、必要な付勢力を得るものである。
【０００４】
下記特許文献３に記載の発明においては、トリガー式液体噴出器のトリガー付勢用バネ部材を、合成樹脂化するとともに、合成樹脂にふさわしい形態でかつ十分な弾力を備えたものにし、従来の合成樹脂製のトリガー式液体噴出器に内蔵されている金属製のコイルスプリングを排して、廃棄時の分解を不要にしようとするものであり、また、取り付けを容易にしようとするものである。
その構成としては、シリンダ外周の基部上面へ当接させる半筒状の上当片とそのシリンダ外周の先端部下面へ当接させる半筒状の下当片とを両側で連ね、かつ、その上当片の両側部から前方へ一対の彎曲バネ片を突設し、該彎曲バネ片の先端部にプランジャの前端部へ機械的に連繋させる係合手段を講じ、全体を弾性に富む合成樹脂で一体成形したものである。
【０００５】
下記特許文献４に記載の発明は、弾性ダイアフラムを復帰ばねに兼用することでシリンダに内装するコイルスプリング等を排し、また、機械的に強制開弁させる空気弁を設けることで容器体内の負圧化を的確に無くすことを課題とする。
その構成は、シリンダにプランジャを出入自在に挿入したプランジャ型ポンプを有する噴出器本体にトリガーを可動に装着して、該トリガーと上記プランジャとを機械的に連繋させたトリガー式噴出器において、前記プランジャ型ポンプのシリンダの外端部とプランジャの適所とを弾性ダイアフラムを介して連設し、また、そのシリンダに隣接させて容器体内部へと開通させる外気導入路を設け、該外気導入路の適所に常閉の空気弁を設け、かつ、トリガーの適所に引き操作に伴い上記空気弁を強制開弁させる機械的開弁手段を講じたものである。
【先行技術文献】
【特許文献】
【０００６】
【特許文献１】特開２００８−５５３４３号公報
【特許文献２】特開２００１−２３９１９３号公報
【特許文献３】特開平１０−２３５２４０号公報
【特許文献４】特開平９−３１３９９９号公報
【発明の概要】
【発明が解決しようとする課題】
【０００７】
本発明においては、従来のものと同様のポンプ式噴霧容器、或いは、エアゾール容器に装着できるトリガー式噴霧機構に関するものであって、その構成をより簡易なものとし、トリガー部のガタ付きを防止することをその第一の課題としている。
このトリガー部のガタ付き、即ちトリガー部のレバーのガタ付きを防止できることにより、ロック部材のロック動作をも確実なものとすることができるのである。
【０００８】
更には、このトリガー部のガタ付きというのは、その構成上は避けられないものであり、今回このガタ付きを防止できる手段の創案を目的とするのであるが、これを解決することにより、将来的には、遅延噴射を可能とすることができるものとなるのである。
というのも、このガタ付き分のストロークが噴射を送らせる範囲となるからである。
その他、本発明においては、この発明の具体的な構成において、より確実な動作を実現するための手段を講じることもその課題となるものである。
【課題を解決するための手段】
【０００９】
上記課題を解決するために、本発明の第１のものは、エアゾール容器又はポンプ式噴霧容器の上端部から上方に延長するバルブステムに接続するトリガー式噴霧機構において、当該噴射機構は、本体部と、前記バルブステムに接続する押下ボタン部と、本体部の後方の回動部で回動自在に取り付けられたトリガー部とからなり、前記押下ボタン部は、その内部に容器内の内容液を排出するための通路が設けられ、当該通路の基端部が前記バルブステムと接続して上方方向に延長し、その後略水平方向に折曲して、当該通路の先端の出口部が噴口を形成し、前記トリガー部のレバーを手前側に引き寄せることにより、前記押下ボタン部が下方に押し下げられて容器の内容液が噴霧され、トリガー部の上面内壁部には、下方に延長する合成樹脂製の板バネからなる樹脂バネが設けられ、この樹脂バネの先端部は前記押下ボタン部の上面部に当接してトリガー部を常に上方向に付勢していることを特徴とするトリガー式噴霧機構である。
【００１０】
本発明の第２のものは、上記第１の発明において、で上記トリガー部の回動に際し、当該トリガー部の上面内壁部から下方に延長する一対の押下部材を設け、これらの押下部材が押下ボタン部の両側部に設けられた突起部と当接することにより、トリガー部のレバーを引き寄せた際に、トリガー部が押下ボタン部を押し下げることができることを特徴とするトリガー式噴霧機構ある。
【００１１】
本発明の第３のものは、上記第１又は第２の発明において、トリガー部の後方の回動部の上方に略水平方向に往復動するロック部材を設け、このロック部材を前方に押し込むことによりトリガー部の回動が阻止され、逆にこのロック部材を後方に引き寄せることによりトリガー部の回動が可能となることを特徴とするトリガー式噴霧機構である。
【００１２】
本発明の第４のものは、上記第３の発明において、前記ロック部材の適宜位置には、突起部を設け、この突起部がトリガー部の壁面と当接することにより当該ロック部材がトリガー部から後方に抜け落ちないことを特徴とするトリガー式噴霧機構である。
【００１３】
本発明の第５のものは、上記第１乃至第４の何れかの発明において、前記本体部の基端部で容器のバルブステムと接続する部分において、前記バルブステムを挿通できる貫通孔を囲繞するように筒状壁部を設け、この筒状壁部の内壁面が前記押下ボタン部の基端部の上下動をガイドできることを特徴とするトリガー式噴霧機構である。
尚、上記発明において、「前方」又は「後方」というのは、内容液の噴射方向を前方とし、その反対方向を後方と特定している。
【発明の効果】
【００１４】
本発明の第１のものにおいては、先ず、ポンプ式噴霧容器であれ、エアゾール容器であれ、バルブステムが容器の上端部から上方に延長する形式の容器であれば、何れのタイプの容器にも接続して使用することができる。
本発明に係る噴霧機構は、本体部と、押下ボタン部と、本体部の後方の回動部で回動するトリガー部とから成り、トリガー部のレバーを後方に引き寄せるのみで簡易に押下ボタン部が押し下げられ、容器の内容液が押下ボタン部の先端の噴口から噴霧され、その構成は簡易で、製造も容易なものとなる。
【００１５】
そして、本発明の最大の特徴点として、トリガー部の上面内壁部に設けた、下方に延長する合成樹脂製の板バネからなる樹脂バネを挙げることができ、この樹脂バネの先端部は前記押下ボタン部の上面部に当接してトリガー部を常に上方向に付勢することができるのである。
トリガー部は、本体部の後方で回動部により回動自在に取り付けられている関係上、そのトリガー部は上下にガタ付いた状態となるのであるが、この樹脂バネの存在により、トリガー部は常に上方に付勢された状態を維持でき、そのガタ付きが防止されるのである。
このガタ付き防止により、後に説明するロック部材のロック動作も確実なものとなるのである。
【００１６】
本発明の第２のものにおいては、トリガー部と押下ボタン部との関係構造を具体化したものである。
即ち、トリガー部の回動に際し、当該トリガー部の上面内壁部から下方に延長する一対の押下部材を設け、これらの押下部材が押下ボタン部の両側部に設けられた突起部と当接することにより、トリガー部のレバーを引き寄せた際に、トリガー部が押下ボタン部を押し下げることができるように構成した。
これにより、トリガー部と押下ボタン部の連動を確実なものとしている。
【００１７】
本発明の第３のものにおいては、本発明に係る噴霧機構にロック部材を付加したものであり、即ち、トリガー部の後方の回動部の上方に略水平方向に往復動するロック部材を設け、このロック部材を前方に押し込むことによりトリガー部の回動が阻止され、逆にこのロック部材を後方に引き寄せることによりトリガー部の回動が可能となることを特徴とするものである。
【００１８】
本発明の第４のものにおいては、上記第３の発明において、ロック部材の構成をより限定したものであり、即ち、ロック部材の適宜位置には、突起を設け、この突起がトリガー部の壁面と当接することにより当該ロック部材がトリガー部から後方に抜け落ちないように構成したものである。
【００１９】
本発明の第５のものにおいては、本発明に係る噴霧機構の本体部とバルブステムとの接続部分の限定であり、即ち、本体部の基端部でバルブステムを挿通する貫通孔を囲繞するように筒状壁部を設け、この筒状壁部の内壁面が前記押下ボタンの基端部の上下動をガイドできるようにしたことを特徴とし、これにより押下ボタンの基端部が円滑かつ確実にバルブステムを押下することができることとなるのである。
【図面の簡単な説明】
【００２０】
【図１】本発明のトリガー式噴霧機構に係る一実施形態をポンプ式噴霧容器のキャップ部分に装着した状態を図示しており、その（Ａ）が平面図、その（Ｂ）が（Ａ）図のＢ−Ｂ線断面図、その（Ｃ）が（Ａ）図のＣ−Ｃ線断面図であって、非作動状態を図示している。
【図２】上記実施形態に係る噴霧機構の作動状態を示し、その（Ａ）が平面図、その（Ｂ）が（Ａ）図のＢ−Ｂ線断面図、その（Ｃ）が（Ａ）図のＣ−Ｃ線断面図を示している。
【図３】上記実施形態において、樹脂バネを設けない場合を図示したものであり、その（Ａ）が平面図、その（Ｂ）が（Ａ）図のＢ−Ｂ線断面図、その（Ｃ）が（Ａ）図のＣ−Ｃ線断面図である。
【発明を実施するための形態】
【００２１】
以下、添付の図面と共に本発明の実施形態について説明する。
図１は、本発明のトリガー式噴霧機構に係る一実施形態をポンプ式噴霧容器のキャップ部分に装着した状態を図示しており、その（Ａ）が平面図、その（Ｂ）が（Ａ）図のＢ−Ｂ線断面図、その（Ｃ）が（Ａ）図のＣ−Ｃ線断面図であって、非作動状態を図示している。
【００２２】
本発明に係るトリガー式噴霧機構１０（以下単に「噴霧機構」という。）は、本体部１１と、この本体部１１の後方の回動部１２に回動自在に取り付けられたトリガー部１３と、略直角方向に折曲する押下ボタン部１５とからなり、押下ボタン部１５の内部には、容器内の内容液が流通する通路１６が形成され、当該通路１６の始端部側が図示省略したポンプ式噴霧容器の上端部に設けられたバルブステム３０と接続し、当該通路１６の出口には噴口１７が形成されている。
【００２３】
前記バルブステム３０は、ポンプ式噴霧容器の上端開口部を封止するキャップＣの上端面に装着された噴霧用バルブＶの上端部から上方に延長する噴射用ステムのことである。
この噴射用バルブＶは、前記容器のキャップＣの上端面に組み込まれており、噴射用バルブＶの上端部Ｖｕ及びキャップＣの上端面Ｃｕに本発明に係る噴霧機構１０の本体部１１の基端部１１ｂが組み付けられるのである。
【００２４】
前記噴射用バルブＶの上方部で上方に延長するバルブステム３０には、本発明に係る噴射機構１０の押下ボタン部１５が接続する。具体的には、押下ボタン１５の通路１６の始端部内にバルブステム３０の先端部が嵌入して接続される。
この押下ボタン部１５は、上記した通り、略直角に折曲し、その内部に通路１６を有し、その通路１６の始端部が前記バルブステム３０と接続し、その出口が噴口１７を成す。
この押下ボタン部１５の横断面外形形状は略円形形状である。
【００２５】
更に、この押下ボタン１５の基端部１５ｂは、本体部１１の基端部１１ｂから上方に延長する筒状壁部１１ｗの内部に嵌入し、この筒状壁部１１ｗの内部で上下に往復動するように構成されている。
即ち、この押下ボタン１５をトリガー部１３が下方に押し下げることにより、押下ボタン１５が押下される。
他方、トリガー部１３への力を除き、これを元に戻すと、押下ボタン部１５も上方に復帰できる。この押下ボタン部１５が上方に復帰できるのは、噴射バルブＶ内のコイルスプリングＳの付勢作用による。
【００２６】
前記トリガー部１３は、本体部１１の後方の回動部１２にて回動自在であり、レバー１４を引き寄せることにより、トリガー部１３は、図中左方向に回動して押下ボタン部１５を下方に押下することができる。
より詳しくは、押下ボタン部１５の折曲部の両側に突起部１５ｔが設けられ、この突起部１５ｔを押し下げることができる一対の押下部材１３ｔがトリガー部１３の上面内壁部から下方に向かって設けられている。
【００２７】
この押下部材１３ｔは、トリガー部１３の上面内壁部から下方に延長する板状体のものからなり、その先端部に凹所を設け、この凹所内に前記突起部１５ｔが係合するように形成されている。
以上の構成により、トリガー部１３がその回動部１２を支点として回動し、前記押下部材１３ｔが押下ボタン１５の突起部１５ｔを押し下げることができる。
【００２８】
前記トリガー部１３の回動部１２の少し上方には、ロック部材２０が配設されている。
このロック部材２０は、その前方部分がトリガー部１３に設けられた孔部の内部に嵌入するように配備され、略水平方向に往復動することができる。
その後方端部には操作部２０ｓが設けられ、この操作部２０ｓがトリガー部１３の前記孔部の外周縁部に当接することによりその嵌入が阻止される。
【００２９】
他方、このロック部材２０の下面には、下方に延長する突起２０ｔが設けられており、この突起２０ｔがトリガー部１３の前記孔部の外周縁部に当接することにより、当該ロック部材２０がトリガー部１３の内部から外部に脱落することが防止されるのである。
【００３０】
そして、本発明の最大の特徴である樹脂バネ１８がトリガー部１３の上面内壁部から下方に延長するように設けられている。
この樹脂バネ１８は、可撓性及び弾力性を有する合成樹脂製の板バネから成り、トリガー部１３の上面の内壁面から下方に延長し、その先端部が押下ボタン部１５の上面部に当接するように配設されている。
【００３１】
これによりトリガー部１３は、常に上方方向に付勢された状態に維持されるのであり、トリガー部１３の上下のガタ付きはほぼ抑制されるのである。
この状態（図１（Ｂ）の状態）で、図１（Ｃ）から解る通り、押下ボタン部１５の両側に設けられた突起部１５ｔと押下部材１３ｔの凹所１３ｓとは離隔した状態となり、この状態でロック部材２０の先端部もトリガー部１３の内部に完全に没入した状態となり、ロック状態となる。
【００３２】
ロック状態というのは、トリガー部１３のレバー１４を引き寄せることが出来ない状態、つまり噴霧不可能状態のことである。
このロック状態をより詳しく説明すると、ロック部材２０の先端部が、トリガー部１３の上面内壁部から下方に延長する延長部と、本体部１１の上面から上方に延長する延長部との間に嵌入することによりトリガー部１３の回動が阻止され、これら両延長部間からロック部材２０の先端部が後方に抜けた状態となることにより、そのロック状態が解除される構成である。
【００３３】
従って、前記ロック部材２０を後方方向に引き出して前記ロック状態を解除することにより、トリガー部１３のレバー１４を使用者は引き寄せることができ、これによって押下ボタン部１５を下方に押し下げ、容器内の内容液を押下ボタン部１５の先端の噴口１７から外界に噴霧することができることとなるのである。
【００３４】
図２は、上記実施形態に係る噴霧機構の作動状態を示し、その（Ａ）が平面図、その（Ｂ）が（Ａ）図のＢ−Ｂ線断面図、その（Ｃ）が（Ａ）図のＣ−Ｃ線断面図を示している。
この図２においては、当該噴霧機構１０が作動状態であり、従って、ロック部材２０は、後方に引き出された状態で、トリガー部１３が回動部１２を中心として左方向に回動され、押下ボタン部１５が最下端の位置にまで押し下げられた状態を示している。
【００３５】
図２（Ｂ）及び（Ｃ）から解る通り、トリガー部１３の上面内壁部から下方に延長する延長部１３ｅと、本体部１１から上方に延長する延長部１１ｅとの間からロック部材２０の先端部が後方に抜脱した状態となり、これによりトリガー部１３が回動できる。
そして、図２（Ｂ）から良く解る通り、樹脂バネ１８の先端部が大きく湾曲した状態となり、その付勢力、つまり反発力によりトリガー部１３のレバー１４から力を抜くと、直ぐにトリガー部１３は、元の位置に復帰するように右方向に回動することとなるのである。
【００３６】
その後、ロック部材２０が後方方向に移動したままのロック解除の状態のままで元の非動作状態に（図１でロック解除の状態に）復帰することとなるのである。
そして、使用終了の場合には、このロック部材２０を前方方向に移行して図１の状態として使用が終了することとなる。
このロック部材２０を前方方向に移動させるに際して、前記樹脂バネ１８の存在により、ロック部材２０の先端部が、トリガー部１３及び本体部１１の延長部１３ｅ、１１ｅの間に円滑に進入することができることとなるのである。
【００３７】
図３は、上記実施形態において、樹脂バネを設けない場合を図示したものであり、その（Ａ）が平面図、ぞの（Ｂ）が（Ａ）図のＢ−Ｂ線断面図、その（Ｃ）が（Ａ）図のＣ−Ｃ線断面図である。
この図３においては、ロック部材２０を既に後方方向に引き出してロック解除した後の状態を示している。
【００３８】
従って、図３（Ｃ）から解る通り、トリガー部１３のレバー１４は、手前方向に引き寄せることができる状態となっている。
即ち、ロック部材２０の先端部２０ｆがトリガー部１３の上面内壁部から下方に延長する延長部１３ｅと本体部１１から上方に延長する延長部１１ｅとの間から右側に抜け出した状態となっており、トリガー部１３が回動可能状態となっている。
【００３９】
しかし、この状態においては、上記実施形態のように樹脂バネが設けられていない関係上、トリガー部１３は、それ自身の重みによりその左方部分が下に落ち込み、押下ボタン部１５の両側に設けられた突起部１５ｔと、トリガー部１３の上面内壁部から下方に延長する押下部材１３ｔの先端部の凹所１３ｓとが当接した状態となっている。
【００４０】
この状態においては、図３（Ｂ）から解る通り、ロック部材２０を前方方向に押し込んでも、ロック部材２０の先端部２０ｆは、トリガー部１３の上面内壁部から下方に延長する延長部１３ｅと本体部１１から上方に延長する延長部１１ｅとの間に嵌入することができないこととなる。
それ故、ロック部材２０によるロックは不能となってしまい、使用開始後は、ロックが出来ない状態となってしまうのである。
【００４１】
勿論、レバー１４を片方の手で上方に持ち上げて、他方の手でロック部材２０を前方方向に嵌入させて押し込み、ロックさせることは可能なのではあるが、非常に面倒な動作或いは操作となってしまうのである。
【００４２】
このように、本発明では、上記樹脂バネの配設により、トリガー部１３及びレバー１４のガタ付きを防止するばかりでなく、ロック部材２０のロック動作をも容易に行うことができるようにしたことをその特徴とするものである。
【００４３】
更に、この樹脂バネの存在により、押下ボタン１５の両側に設けた突起部１５ｔと、この突起部１５ｔに作用を及ぼすトリガー部１３の上面内壁部から下方に延長する一対の押下部材１３ｔとの関係、即ち、突起部１５ｔと押下部材１３ｔの先端の凹所１３ｓとを所定距離分だけ離隔することにより（図１（Ｃ）の状態）、この離隔分の距離により、レバー１４の作動開始時期から噴霧開始時期までの時間をずらすことも可能となり、遅縁噴射の効果を付与する必要のある噴霧機構にも応用することができることとなるのである。
【００４４】
以上、本発明の実施形態について説明したが、本発明においては以下の通り種々設計変更することが可能である。
まず、本発明においては、上記実施形態において、ポンプ式噴霧容器を例にして説明したが、全く同じ構成の噴霧機構を用いて、容器の内部薬液と噴射剤が収容されたエアゾール容器に関しても同様に適用することができるものである。
要は、本体部の基端部にバルブステムの貫通孔を有し、当該基端部がエアゾール容器の上端部と適宜組み付けられ、固定できる形のものであればよいのである。
【００４５】
本体部、トリガー部及び押下ボタン部の形態及びサイズも適宜必要に応じて設計変更することができる。
樹脂バネの幅や長さ等も適宜自由に設計変更することができる。要は、トリガー部の上面内壁部から下方に延長し、押下ボタン部に当接して当該押下ボタン部を押圧状態に維持できれば、その反作用によりトリガー部は常に上方に付勢された状態となるからである。
【００４６】
本発明においては、押下ボタン自体に噴口部が合体された形式を採用しているが、この噴口部の構成も適宜必要に応じて設計変更することできる。
噴霧又は噴射薬液の種類等により、この噴口部の設計をすればよいからである。
押下ボタン部の横断面の外形形状は矩形形状でもよい。
トリガー部の後方の回動部の構成も全く自由であり、軸着、枢着、蝶着等どのような構成を採用してもよいものである。
【００４７】
以上、本発明においては、そのトリガー部の上面内壁部に樹脂バネを設けたことにより、当該トリガー部を常に上方方向に付勢でき、ガタ付きを防止し、且つ、ロック部材のロック操作を常に容易に可能としたトリガー式噴霧機構を提供することができたものである。
【符号の説明】
【００４８】
１０  トリガー式噴霧容器
１１  本体部
１１ｂ  基端部（本体部の）
１１ｅ  延長部
１１ｗ  筒状壁部
１２  回動部
１３  トリガー部
１３ｅ  延長部
１３ｔ  押下部材
１３ｓ  凹所（押下部材の）
１４  レバー
１５  押下ボタン部
１５ｂ  基端部（押下ボタン部の）
１５ｔ  突起部
１６  通路
１７  噴口
１８  樹脂バネ
２０  ロック部材
２０ｆ  先端部
２０ｓ  操作部（ロック部材の）
２０ｔ  突起
３０  バルブステム
Ｃ  キャップ
Ｖ  噴射用バルブ
【図１】
2015112522.tif 000003
【図２】
2015112522.tif 000004
【図３】
2015112522.tif 000005